(57)【要約】【課題】設置場所を選ばず、花瓶の形状に合わせて適切に花瓶を保持できるように形状を調整できる花瓶ホルダーを提供する。【解決手段】花瓶を保持するための花瓶ホルダー１であって、底板２と、底板２からそれぞれ上方に延び、周面にねじ山が形成された第１の支柱５と第２の支柱６と、第１の支柱５と第２の支柱６が貫通する開口が設けられ、花瓶を周方向に全体的または部分的に囲むように形成された保持部材７とを有し、第１の支柱５と第２の支柱６に保持部材７の上下にそれぞれナット９，１０が取り付けられ、ナット９，１０によって保持部材７が第１の支柱５と第２の支柱６に固定されている。【選択図】図１
2014076252.tif 000002
【特許請求の範囲】
【請求項１】
花瓶を保持するための花瓶ホルダーであって、
底板と、
前記底板からそれぞれ上方に延び、周面にねじ山が形成された第１の支柱と第２の支柱と、
前記第１の支柱と前記第２の支柱が貫通する開口が設けられ、花瓶を周方向に全体的または部分的に囲むように形成された保持部材とを有し、
前記第１の支柱と前記第２の支柱に前記保持部材の上下にそれぞれナットが取り付けられ、前記ナットによって前記保持部材が前記第１の支柱と前記第２の支柱に固定されていることを特徴とする花瓶ホルダー。
【請求項２】
前記開口として、前記第１の支柱が貫通する第１の開口と、前記第２の支柱が貫通する第２の開口が設けられている請求項１に記載の花瓶ホルダー。
【請求項３】
前記保持部材は、花瓶に面する部分にクッション材が設けられている請求項１または２に記載の花瓶ホルダー。
【請求項４】
請求項１〜３のいずれか一項の花瓶ホルダーと、
前記第１の支柱と前記第２の支柱が貫通する開口が設けられ、前記保持部材とは異なる大きさで、花瓶を周方向に全体的または部分的に囲むように形成された交換用保持部材とを有する花瓶ホルダーセットであって、
前記保持部材と前記交換用保持部材が、前記第１の支柱と前記第２の支柱に互いに取替え可能に取り付けられることを特徴とする花瓶ホルダーセット。
【発明の詳細な説明】
【技術分野】
【０００１】  本発明は、地震等の揺れや誤って花瓶に物品等が触れることにより花瓶が転倒することを防止し、花瓶を保持するための花瓶ホルダーおよび花瓶ホルダーセットに関するものである。
【背景技術】
【０００２】  従来、花瓶の転倒を防止するための花瓶ホルダーが知られており、例えば特許文献１には、底板と、花瓶の側面を取り囲む包囲枠と、包囲枠と底板とを連結する連結板を有し、連結板に吸盤が取りつけられた花瓶ホルダーが開示されている。
【先行技術文献】
【特許文献】
【０００３】
【特許文献１】特開２００２−２９１５９４号公報
【発明の概要】
【発明が解決しようとする課題】
【０００４】  特許文献１に開示される花瓶ホルダーは、連結板に取り付けられた吸盤を壁面に取り付けることで転倒するのを防ぐものである。そのため、花瓶ホルダーの設置場所が壁面の近くに限られるとともに、花瓶から大きくはみ出すように花瓶に花を活けた場合などは、花瓶ホルダーの使用が困難となる場合がある。また、花瓶ホルダーの形状が固定されているため、花瓶ホルダーに設置できる花瓶が限定されてしまう。【０００５】  本発明は前記事情に鑑みてなされたものであり、その目的は、設置場所を選ばず、花瓶の形状に合わせて適切に形状を調整できる花瓶ホルダーを提供することにある。
【課題を解決するための手段】
【０００６】  前記課題を解決することができた本発明の花瓶ホルダーとは、底板と、前記底板からそれぞれ上方に延び、周面にねじ山が形成された第１の支柱と第２の支柱と、第１の支柱と第２の支柱が貫通する開口が設けられ、花瓶を周方向に全体的または部分的に囲むように形成された保持部材とを有し、第１の支柱と第２の支柱に保持部材の上下にそれぞれナットが取り付けられ、ナットによって保持部材が第１の支柱と第２の支柱に固定されているところに特徴を有する。本発明の花瓶ホルダーは前記のように構成されているため、花瓶が設置できる場所であれば、花瓶ホルダーを設置することができる。また、第１の支柱と第２の支柱に取り付けられたナットを回転させることで保持部材の高さを簡単に変えることができるため、花瓶の形状に応じて保持部材の高さを調整して、適切に花瓶を保持することができ、花瓶の転倒防止効果を高めることができる。さらに、第１の支柱と第２の支柱に取り付けられた保持部材は水平方向にずれにくく、保持部材によって花瓶を確実に保持することができる。【０００７】  保持部材には、前記開口として、第１の支柱が貫通する第１の開口と、第２の支柱が貫通する第２の開口が設けられていることが好ましい。また、保持部材には、花瓶が転倒しかかって当たった場合に花瓶が破損するのを防止するために、花瓶に面する部分にクッション材が設けられていることが好ましい。【０００８】  本発明はまた、本発明の前記花瓶ホルダーと、第１の支柱と第２の支柱が貫通する開口が設けられ、前記保持部材とは異なる大きさで、花瓶を周方向に全体的または部分的に囲むように形成された交換用保持部材とを有し、保持部材と交換用保持部材が、第１の支柱と第２の支柱に互いに取替え可能に取り付けられる花瓶ホルダーセットも提供する。このように交換用保持部材を用意することで、様々な形状の花瓶に対応することが可能となる。
【発明の効果】
【０００９】  本発明の花瓶ホルダーは設置場所を選ばず、また、保持部材の高さを簡単に変えることができるため、花瓶の形状に応じて保持部材の高さを調整して、花瓶の転倒防止効果を高めることができる。
【図面の簡単な説明】
【００１０】
【図１】本発明の花瓶ホルダーの一例を表し、花瓶ホルダーの斜視図を表す。
【図２】図１に示した花瓶ホルダーの上面図を表す。
【図３】図１に示した花瓶ホルダーの正面図を表す。
【図４】図２に示した花瓶ホルダーのＩＶ−ＩＶ断面図を表す。
【図５】本発明の花瓶ホルダーの他の例を表し、図５（ａ）は花瓶ホルダーの上面図を表し、図５（ｂ）は図５（ａ）に示した花瓶ホルダーのＶ−Ｖ断面図を表す。
【図６】本発明の花瓶ホルダーの他の例を表し、図６（ａ）は花瓶ホルダーの上面図を表し、図６（ｂ）は図６（ａ）に示した花瓶ホルダーのＶＩ−ＶＩ断面図を表す。
【図７】本発明の花瓶ホルダーの他の例を表し、図７（ａ）は花瓶ホルダーの上面図を表し、図７（ｂ）は図７（ａ）に示した花瓶ホルダーのＶＩＩ−ＶＩＩ断面図を表す。
【発明を実施するための形態】
【００１１】  本発明は、花瓶が転倒することを防止して、花瓶を保持するための花瓶ホルダーに関するものである。本発明の花瓶ホルダーについて、以下、図面を参照して説明する。なお、本発明は、図面に示された実施態様に限定されるものではない。
【００１２】  図１〜図４には、本発明の花瓶ホルダーの一例を示す。図１は、本発明の花瓶ホルダーの斜視図を表す。図２は、図１に示した花瓶ホルダーの上面図を表す。図３は、図１に示した花瓶ホルダーの正面図を表す。図４は、図２に示した花瓶ホルダーのＩＶ−ＩＶ断面図を表す。なお本願の図面では、発明の理解を容易にするために、花瓶ホルダーに加えて花瓶が二点鎖線で表されている場合があるが、本発明の花瓶ホルダーは花瓶を構成要素とするものではない。
【００１３】  花瓶ホルダー１は、底板２と、底板２から上方に延びる第１の支柱５と第２の支柱６と、第１の支柱５と第２の支柱６に取り付けられた保持部材７を有する。
【００１４】  底板２は、花瓶ホルダー１の土台となる部材である。花瓶ホルダー１は、例えば、底板２を棚や台の上等に載せ、さらに底板２の上に花瓶を載せて使用される。
【００１５】  底板２の形状は、円形、楕円形、多角形、角の丸まった多角形、不定形等、特に形状は限定されない。底板２は、例えば、環状やＵ字状に形成されていてもよい。
【００１６】  底板２を構成する材料は特に限定されない。底板２は、例えば、金属、プラスチック、木等から構成されることが好ましい。なお、花瓶ホルダー１の転倒防止効果を高める点からは、底板２はある程度の質量を有していることが好ましく、従って、底板２は金属製であることが好ましい。
【００１７】  底板２は花瓶が載せられるものであることが好ましい。底板２の上に花瓶を載せることにより、花瓶ホルダー１を使用の際、花瓶ホルダー１が花瓶の自重（花瓶に入れられた水や植物の重さを含む）により安定化される。
【００１８】  図面に示すように、底板２の上にはクッション材３が設けられることが好ましい。花瓶ホルダー１を使用の際、クッション材３の上に花瓶を載せることで、地震等によって花瓶が揺れても、クッション材３によって花瓶の揺れを緩和することができる。クッション材３としては、ゴム、発泡ポリマー、ゲル材料等の弾性材料を用いればよい。
【００１９】  図面では、また、底板２の下にもクッション材４が設けられており、このように底板２の下にクッション材４が設けられることも好ましい。底板２の下にクッション材４を設けることにより、地震等によって花瓶ホルダー１が揺れても、クッション材４によって花瓶ホルダー１の揺れを緩和することができる。クッション材４としては、前記例示した弾性材料を用いることができる。
【００２０】  底板２の上または下には、クッション材３，４の代わりに滑り止め材を設けてもよい。滑り止め材としては、他の材料と接したときに、底板２よりも摩擦力を増加させるものであれば特に限定されず、公知の滑り止め材を用いることができる。滑り止め材はクッション材を兼ねるものでもよい。
【００２１】  底板２からは、第１の支柱５と第２の支柱６がそれぞれ上方に延びている。図面では、第１の支柱５と第２の支柱６が底板２にはめ込まれ、ナット１１，１２で底板２に固定されている。第１の支柱５と第２の支柱６は、保持部材７を取り付けるための部材である。
【００２２】  第１の支柱５と第２の支柱６にはそれぞれ周面にねじ山が形成されており、第１の支柱５と第２の支柱６にはそれぞれナット９，１０が取り付けられている。ナット９，１０は、第１の支柱５または第２の支柱６のねじ山と螺合して取り付けられる。第１の支柱５と第２の支柱６はそれぞれ保持部材７を貫通して設けられ、第１の支柱５と第２の支柱６に保持部材７を挟んで（すなわち、保持部材７の上下に）それぞれナット９，１０が取り付けられることにより、保持部材７が第１の支柱５と第２の支柱６に固定される。図面では、第１の支柱５にナット９が取りつけられ、第２の支柱６にナット１０が取りつけられている。
【００２３】  ナット９，１０の種類としては、少なくとも保持部材７の下に取り付けられるナット９ｂ，１０ｂは、ねじ穴が貫通しているナットであることが必要である。一方、保持部材７の上に取り付けられるナット９ａ，１０ａは、ねじ穴が貫通しているナットでも、ねじ穴が貫通していないナット（例えば、袋ナット）でもよい。図１〜図４に示した花瓶ホルダー１では、保持部材７の上に袋ナット９ａ，１０ａが取り付けられ、保持部材７の下には普通のナット９ｂ，１０ｂ（ねじ穴が貫通したナット）が取り付けられている。なお図面には示されていないが、ナット９，１０と保持部材７の間には、座金（ばね座金を含む）が設けられていてもよい。
【００２４】  第１の支柱５と第２の支柱６を構成する材料は特に限定されない。第１の支柱５と第２の支柱６は、例えば、金属、プラスチック、木等から構成されることが好ましい。第１の支柱５と第２の支柱６の周面には化粧用カバー（例えば、樹脂製の化粧用カバー）を設けてもよい。化粧用カバーを設けることにより、第１の支柱５と第２の支柱６のねじ山を隠すことができ、花瓶ホルダー１の装飾性を高めることができる。
【００２５】  第１の支柱５と第２の支柱６は、一般的な花瓶の高さの少なくとも半分以上の長さを有していることが好ましい。このような観点から、第１の支柱５と第２の支柱６の長さ（底板２の上面からの高さ）は、５ｃｍ以上が好ましく、１０ｃｍ以上がより好ましい。一方、第１の支柱５と第２の支柱６の長さの上限は、一般的な花瓶の高さ程度と同じ程度であることが好ましく、従って、第１の支柱５と第２の支柱６の長さは、４０ｃｍ以下が好ましく、３０ｃｍ以下がより好ましい。
【００２６】  図面には示されていないが、花瓶ホルダー１には、第１の支柱５と第２の支柱６に加え、第３の支柱が設けられてもよい。第３の支柱もまた、第１の支柱５と第２の支柱６と同様に設けられればよい。また、さらに多くの支柱が設けられてもよい。なお、あまり多くの支柱を設けても、花瓶や花瓶に活けた植物が支柱によって見えにくくなるおそれがあることから、支柱の数は２つまたは３つが好ましく、２つであることがより好ましい。
【００２７】  保持部材７は、花瓶ホルダー１にセットされた花瓶が転倒しそうになったときに、花瓶が実際に転倒するのを防止するための部材である。保持部材７は、第１の支柱５と第２の支柱６が貫通する開口が設けられ、花瓶を周方向に全体的または部分的に囲むように形成されている。保持部材７の開口に第１の支柱５と第２の支柱６を通して、第１の支柱５と第２の支柱６にそれぞれ取り付けられたナット９，１０により保持部材７を上下から挟み込むことにより、保持部材７が第１の支柱５と第２の支柱６に固定される。そして、保持部材７が、花瓶を周方向に全体的にまたは部分的に囲むように形成されることにより、花瓶が転倒しそうになっても、転倒しかけた花瓶が保持部材７によって支えられ、実際に花瓶が転倒するのが防止される。図面では、保持部材７は、花瓶を周方向に全体的に囲む環状に形成されている。
【００２８】  花瓶ホルダー１は、このように第１の支柱５と第２の支柱６の両方に保持部材７が取り付けられることにより、地震等の揺れによって、保持部材７が底板２に対してずれたりすることが防止される。例えば花瓶ホルダー１に第１の支柱５のみが設けられ、保持部材７に第１の支柱５のみが貫通して設けられるような場合は、保持部材７が第１の支柱５を軸に水平方向に回転しやすくなり、保持部材７が底板２に対してずれやすくなるところ、本発明の花瓶ホルダー１ではそのようなことが起こるのが防止される。
【００２９】  花瓶ホルダー１はまた、保持部材７を第１の支柱５と第２の支柱６に取り付ける高さを自在に変えることができるため、様々な形状の花瓶を保持するのに用いることができる。そして、保持部材７を上下からナット９，１０で挟み込んで第１の支柱５と第２の支柱６に固定しているため、ナット９，１０を回転させて第１の支柱５または第２の支柱６に取り付ける高さを変えることで、保持部材７を取り付ける高さも簡単に変えることができる。
【００３０】  保持部材７には、第１の支柱５が貫通する第１の開口と、第２の支柱６が貫通する第２の開口が設けられていることが好ましい。このように保持部材７が第１の支柱５と第２の支柱６に取り付けられることにより、保持部材７が安定して第１の支柱５と第２の支柱６に固定化されやすくなる。もちろん、第１の支柱５と第２の支柱６は、保持部材７に設けられた１つの開口に固定されてもよく、その場合は、開口は例えば細長い形状（スリット状）に形成される。
【００３１】  保持部材７は、花瓶を周方向に全体的または部分的に囲むように形成されている限り、その形状は特に限定されない。保持部材７が花瓶を周方向に全体的に囲むように形成される場合は、保持部材７は例えば環状に形成される。図面では、保持部材７はこのように形成されている。一方、保持部材７が花瓶を周方向に部分的に囲むように形成される場合は、保持部材７は例えばＵ字状や環状の一部が欠けた形状に形成される。保持部材７は花瓶を周方向に半分以上囲むように形成されることが好ましく、３／４以上囲むように形成されることが好ましい。また、保持部材７が花瓶を周方向に部分的に囲むように形成される場合は、保持部材７の断続部分の距離は３ｃｍ以下が好ましく、２ｃｍ以下がより好ましく、１ｃｍ以下がさらに好ましい。
【００３２】  保持部材７を構成する材料は特に限定されない。保持部材７は、例えば、金属、プラスチック、木等の比較的硬い材料から構成されてもよく、ゴム等の比較的軟らかい材料から構成されてもよい。好ましくは、保持部材７は花瓶に面する部分にクッション材８が設けられている。すなわち、花瓶を周方向に全体的または部分的に囲むように形成される部分の内側面にクッション材８が設けられることが好ましい。このように保持部材７が構成されることにより、花瓶が転倒しかかって保持部材７に当たっても、花瓶が破損するのが防止される。クッション材８としては、ゴム、発泡ポリマー、ゲル材料等の弾性材料を用いればよい。保持部材７とクッション材８は、図３，４に示すように、環状に形成されたゴム製の中間層が、環状に形成された金属製の上層７ａと下層７ｂとに挟まれて、中間層が上層７ａと下層７ｂの環状の内縁よりも内方に延出して形成されてもよい。この場合、上層７ａと下層７ｂが保持部材７を形成し、中間層がクッション材８を形成することとなる。
【００３３】  図５〜図７には、本発明の花瓶ホルダーの他の構成例を示す。図５〜図７ではそれぞれ、花瓶ホルダーの上面図と、側方から見た断面図が示されている。図５〜図７には、図１〜図４に示した花瓶ホルダーに用いられた花瓶とは異なる形状や大きさの花瓶を保持する場合に用いられる花瓶ホルダーの例が示されている。なお、下記の説明において、上記説明と重複する部分の説明は省略する。
【００３４】  図５に示した花瓶ホルダーは、図１〜図４に示した花瓶ホルダーに用いられる花瓶よりも高さの低い花瓶を保持する場合に用いられる。底板２、第１の支柱５、第２の支柱６、保持部材７等の各構成部材は、図１〜図４に示した花瓶ホルダーと図５に示した花瓶ホルダーで同じであるが、図５の花瓶ホルダー１では保持部材７がより低い位置に取り付けられている。従って、図５に示した花瓶ホルダー１では、保持部材７の上に取り付けられるナット９ａ，１０ａと、保持部材７の下に取り付けられるナット９ｂ，１０ｂの両方に、ねじ穴が貫通しているナットが用いられている。このように、本発明の花瓶ホルダー１は、保持する花瓶の高さに応じてナット９，１０の取り付ける高さを変えることができるため、様々な高さの花瓶を安定して保持することができる。なお図５では、第１の支柱５と第２の支柱６の頂部に、支柱５，６の保護と、花瓶ホルダー１の取り扱い時の安全性を高めるために、袋ナット９ｘ，１０ｘが設けられている。
【００３５】  図６に示した花瓶ホルダー１は、図５に示した花瓶ホルダーに用いられる花瓶よりも細い花瓶を保持する場合に用いられる。図６に示した花瓶ホルダー１では、保持部材７の花瓶を保持する部分がより小さい環状に形成されている。このように、本発明の花瓶ホルダー１は保持部材７が取替え可能に形成されていることが好ましく、保持する花瓶の太さに応じて保持部材７を取り替えて用いることが好ましい。なお図６に示した花瓶ホルダー１では、底板２の上に設けられるクッション材３も小さい径に形成されており、クッション材３もまた、用いる花瓶の大きさに応じて、取替え可能に形成されていることが好ましい。
【００３６】  すなわち本発明は、交換可能に形成された複数の保持部材を有する花瓶ホルダーセットも提供する。本発明の花瓶ホルダーセットは、本発明の花瓶ホルダーにおいて、交換用保持部材をさらに有するものであり、保持部材と交換用保持部材が、第１の支柱と第２の支柱に互いに取替え可能に取り付けられるものである。交換用保持部材に関する説明は、上記の保持部材と同じである。ただし、交換用保持部材は、上記保持部材とは異なる大きさで、花瓶を周方向に全体的または部分的に囲むように形成されている。
【００３７】  図７に示した花瓶ホルダー１は、図１〜図４に示した花瓶ホルダーに用いられる花瓶よりも高さが高く、細い花瓶を保持する場合に用いられる。図７に示した花瓶ホルダー１では、図１〜図４に示した花瓶ホルダーと比べて、第１の支柱５と第２の支柱６の高さが高く、花瓶を保持する部分がより小さい環状に形成された保持部材７が高さ方向に離間して２つ設けられている。このように、本発明の花瓶ホルダー１は、保持部材７を２つ以上設けてもよい。このとき、第１の支柱５と第２の支柱６は、花瓶の高さに応じて、取替え可能に底板２に取り付けられていることが好ましい。図面に示した花瓶ホルダー１では、ナット１１，１２を緩めることにより、第１の支柱５と第２の支柱６を底板２から外して、異なる高さを有する他の第１の支柱５と第２の支柱６を取り付けることができる。
【符号の説明】
【００３８】１：花瓶ホルダー
２：底板
３，４，８：クッション材
５：第１の支柱
６：第２の支柱
７：保持部材
９〜１２：ナット
【図１】
2014076252.tif 000003
【図２】
2014076252.tif 000004
【図３】
2014076252.tif 000005
【図４】
2014076252.tif 000006
【図５】
2014076252.tif 000007
【図６】
2014076252.tif 000008
【図７】
2014076252.tif 000009